(57)【特許請求の範囲】
【請求項１】
紫外光が透過する光学部材を、被接着部の上方に設置して、その設置された場所で、前記被接着部に対する前記光学部材の、位置と向きと姿勢のうち少なくともいずれか１つを調整して、前記光学部材を前記被接着部に仮固定させる保持機構と、
前記保持機構に組み込まれ、前記光学部材を前記被接着部に固着するために塗布された接着剤を硬化させるために、前記光学部材を透過して前記接着剤を照射するように、紫外光を出射する紫外光照射機構とを備え、
前記保持機構は、前記光学部材を負圧により吸着保持した状態で、変位することにより、前記光学部材を移動させ、前記位置と向きと姿勢のうち少なくともいずれか１つを調整ことすることを特徴とする光学部材の固着装置。
【請求項２】
前記保持機構が、真空装置に接続されて、前記保持機構と前記光学部材により構成される閉空間を真空にすることにより、前記光学部材を保持することを特徴とする請求項１に記載の光学部材の固着装置。
【請求項３】
前記紫外光照射機構の前記紫外光を出射する部位が前記保持機構の内部に組み込まれることを特徴とする請求項１または請求項２に記載の光学部材の固着装置。
【請求項４】
前記保持機構が前記光学部材を保持する保持部が、前記光学部材の側面に係合する保持面を有することを特徴とする請求項３に記載の光学部材の固着装置。
【請求項５】
紫外光が透過する光学部材を、保持機構によって負圧によって吸着保持させる工程と、
前記保持機構が前記光学部材を吸着保持した状態で、前記被接着部の真上に変位され、前記光学部材を、前記被接着部の上方に設置する工程と、
その設置された場所で、前記保持機構を、前記光学部材を保持した状態で変位させることにより、前記光学部材を移動させ、前記被接着部に対する前記光学部材の、位置と向きと姿勢のうち少なくともいずれか１つを調整して、前記光学部材と前記被接着部とを仮固定する工程と、
前記保持機構に組み込まれた紫外光照射機構によって出射された紫外光を、前記光学部材を透過させて、前記光学部材と前記被接着部の間に塗布された接着剤に照射させ、前記接着剤を硬化させ、前記光学部材と前記被接着部とを固着させる工程と を備える光学部材の固着方法。
【発明の詳細な説明】
【０００１】
【発明の属する技術分野】
本発明は、例えば光学式情報記録再生装置等の製造工程において用いられる光学部材の位置と向きとを調整して固着する固着装置に関する。
【０００２】
【従来の技術】
従来光学式情報記録再生装置等の製造工程において、例えばプリズム等の光学部材を所定の部材に固着する際、光学部材の位置と向きとを調整するとともに、その位置と向きで光学部材を被固着面に仮固定する保持装置と、それと独立した、接着剤を硬化させ固着するための固着装置とが用いられる。光学部材は、保持装置により真空吸着されて、紫外光硬化型の接着剤を塗布された所定の位置へ設置され、向きが調整される。保持装置により光学部材が保持された状態で、保持装置の近傍に固着装置が配置され、この固着装置が光学部材の接着面に紫外光を照射することにより、接着剤が硬化され、光学部材が固着される。
【０００３】
【発明が解決しようとする課題】
光学式情報記録再生装置等の小型化に伴い、光学部材とそれを接着する部材を小型化することが必要である。しかし、保持装置と固着装置とが独立していると、保持および固着装置全体の小型化が困難であり、小型化された光学部材の位置と向きとを高精度に調整し、効率よく紫外光を照射して、光学部材を小型化された部材に固着することは困難となる。
【０００４】
本発明は、例えば光学式情報記録再生装置等の製造工程において用いられる、プリズム等の光学部材の位置と向きと姿勢を調整し固着する固着装置の小型化を図り、光学部材の位置と向きと姿勢を高精度に調整し、効率よく紫外光を照射することによって、光学部材を固着することを可能ならしめることを目的とする。
【０００５】
【課題を解決するための手段】
本発明に係る光学部材の固着装置は、紫外光が透過する光学部材を、被接着部上に設置して、設置された場所で位置と向きと姿勢のうち少なくともいづれか１つを調整するとともに、仮固定する保持機構と、保持機構に組み込まれ、光学部材を被接着部に固着するために塗布された接着剤を硬化させるために、光学部材を透過して接着剤を照射するように、紫外光を出射する紫外光照射機構とを備えることを特徴としている。
【０００６】
好ましくは、保持機構が、真空装置に接続されて、保持機構と光学部材により構成される閉空間を真空にすることにより、光学部材を保持する。
【０００７】
好ましくは、紫外光照射機構の紫外光を出射する部位が前記保持機構の内部に組み込まれる。さらに好ましくは保持機構が不透明部材から成る。あるいは保持機構が光学部材を保持する保持部が、光学部材の側面に係合する保持面を有してもよい。
【０００８】
【発明の実施の形態】
以下、本発明の実施形態を、図面を参照して説明する。
図１は、本発明の実施形態の一例であって、光学部材の位置を調整して固着する固着装置の断面図である。図２は、本発明の実施形態の一例であって、光学部材の位置を調整して固着する固着装置を示す図である。
【０００９】
本実施形態の固着装置は、保持機構２０と紫外光照射機構３０を有する。保持機構２０は、円筒状の本体２１、吸引管２２および吸引チューブ２３により構成される。また紫外光照射機構３０は、照射機構先端部３２、固定部材３３およびケーブル３１により構成される。
【００１０】
光学部材１０は、保持機構２０により真空吸着されることによって保持され、ベース部材４３の固着部位４２に仮固定される。この光学部材１０は、例えばプリズム等であって、紫外光を透過する透明素材により形成される。固着部位４２には、接着剤が予め塗布され、この接着剤は紫外光硬化型である。紫外光照射機構３０によって紫外光がプリズム１０を透過して接着剤に照射されることにより、プリズム１０がベース部材４３に固着される。
【００１１】
以下保持機構２０と紫外光照射機構３０の構成を詳述する。
保持機構２０において、本体２１と吸引管２２とは、内部を真空に保つことが可能なように気密性の高い部材により形成されている。さらに本体２１は不透明部材により形成され、紫外光の不要な外部への漏洩を防止する。保持部２１ａは、図１、２において本体２１の下側の開口部であり、段差が形成されている。この段差はプリズム１０の側面に係合する保持面を有する。吸引管２２は本体２１の側面であって、照射機構先端部３２の下方に設けられる。吸引管２２には吸引チューブ２３が接続され、この吸引チューブ２３には真空ポンプＰ（真空装置）が接続される。
【００１２】
紫外光照射機構３０において、ケーブル３１は自在に曲げることのできる伝送線であって、光ファイバが内包される。このケーブル３１は、この固着装置を制御する制御装置に設けられた紫外光光源３９に接続される。ケーブル３１と照射機構先端部３２とは、固定部材３３により保持される。照射機構先端部３２と固定部材３３とは、保持機構２０の本体２１の円筒内に挿入される。固定部材３３は、本体２１に設けられるネジ孔４０にネジが螺合されることにより、本体２１に固定される。なお照射機構先端部３２の端面３２ａと光ファイバの端面との距離が長いとき、照射機構先端部３２内に紫外光の拡散を防止するためのレンズ等が設けられてもよい。
【００１３】
以上の構造を有する保持機構２０と紫外光照射機構３０による光学部材１０のベース部材４３への取り付け動作を説明する。
【００１４】
まず接着剤がベース部材４３の固着部位４２に塗布される。プリズム１０がテーブル上のトレー等に置かれる。このプリズム１０の上方に本体２１の保持部２１ａが配置され、プリズム１０はプリズム１０の形状に沿って保持部２１ａに設けられた段差に係合される。これにより、プリズム１０と本体２１により負圧室（閉空間）Ｓが形成される。真空ポンプＰに設けられるスイッチをオンすることにより、真空ポンプＰが作動され、負圧室Ｓ内に負圧が生じる。この負圧により、プリズム１０は保持機構２０に吸着される。
【００１５】
保持機構２０がベース部材４３の真上に移動され、プリズム１０が固着部位４２上に配置される。本体２１は図１、２における下側方向に軽く加圧されながら、固着部位４２の面上で位置を微調整された後、矢印Ａ方向に微少に回転される。これにより、接着剤が薄く均一に伸ばされるとともに、プリズム１０の位置と向きと姿勢とが調整される。このとき保持機構２０の保持部２１ａに設けられたプリズム１０の側面に係合する面を有する段差によって、プリズム１０が固着部位４２の面に平行な各方向への動きを防止された状態で保持機構２０に固定される。このため保持機構２０の本体２１を微動および回転させることにより、プリズム１０の位置が微調整可能となる。
【００１６】
プリズム１０が保持機構２０により仮固定された状態で、制御装置に設けられる紫外光光源３９のスイッチがオンされ、紫外光が照射機構先端部３２の端面３２ａから出射される。接着剤はプリズム１０を透過した紫外光によって硬化され、これにより、プリズム１０は固着部位４２に固着される。
【００１７】
真空ポンプに設けられるスイッチがオフされる。真空ポンプＰが停止され、負圧室Ｓ内に空気が送入されることにより、負圧室Ｓは大気圧に戻される。保持機構２０を持ち上げることにより、プリズム１０は保持機構２０から解放される。以上の動作によりプリズム１０は、ベース部材に位置と向きとを調整され固着される。
【００１８】
なお本実施形態において、保持機構２０は、閉空間Ｓを真空にすることによりプリズム１０を吸着するが、機械的に挟持することによりプリズム１０が保持されてもよい。
【００１９】
以上の本実施形態によれば、固着装置は、紫外光照射機構３０が保持機構２０の本体２１の円筒内に設けられることにより小型化される。このためベース部材４３が小型化されても、保持機構２０がプリズム１０の位置と向きを高精度に調整して仮固定した状態で、紫外光照射機構３０により紫外光を照射することが可能となる。また紫外光照射機構３０は保持機構２０内で紫外光を照射するため、紫外光は外部へ発散することなく効率よく接着剤に照射される。このようにして、プリズム１０は容易にベース部材４３に固着される。
【００２０】
なお、図３に示すように保持機構２０の本体２１の所定位置に紫外光照射用のスイッチ５５と真空ポンプ作動用のスイッチ５６が設けられてもよい。この場合、これらのスイッチ５５、５６は信号ケーブルによりそれぞれ紫外光光源３９と真空ポンプＰに接続され、スイッチ５５、５６によりプリズム１０の固着が手元で一元的に操作可能となる。
【００２１】
【発明の効果】
以上のように本発明によれば、例えば光学式情報記録再生装置等の製造工程において用いられる、プリズム等の光学部材の位置と向きと姿勢を調整し固着する固着装置の小型化が図られ、光学部材の位置と向きと姿勢が高精度に調整され、効率よく紫外光が照射されることによって、光学部材を固着することが可能となる。
【図面の簡単な説明】
【図１】本発明の実施形態の一例である光学部材の位置を調整して固着する固着装置の断面図である。
【図２】本発明の実施形態の一例である光学部材の位置を調整して固着する固着装置を示す図である。
【図３】本発明の実施形態の一例である光学部材の位置を調整して固着する固着装置の断面図である。
【符号の説明】
１０  プリズム（光学部材）
２０  保持機構
３０  紫外光照射機構
４２  固着部位（被接着部）
Ｓ  負圧室（閉空間）
【図１】
0003898808.tif 000002
【図２】
0003898808.tif 000003
【図３】
0003898808.tif 000004